(57)【特許請求の範囲】
【請求項１】
利用者が所持する情報記録媒体と、
建物の外周部に設置された第一の通用口の入側及び出側を含む領域である第一のエリアと、
前記第一のエリアに隣接し、前記第一の通用口の入側と境を接する前記建物の内周部に設置された第二の通用口の入側及び出側を含む領域である第二のエリアと、
前記第一の通用口の入側に設置され、前記利用者の操作により識別情報を読み取る第一エリア入側読取装置と、
前記第一の通用口の出側に設置され、前記利用者の操作により識別情報を読み取る第一エリア出側読取装置と、
前記第二の通用口の入側に設置され、前記利用者の操作により識別情報を読み取る第二エリア入側読取装置と、
前記第二の通用口の出側に設置され、前記利用者の操作により識別情報を読み取る第二エリア出側読取装置と、
前記それぞれの読取装置で読み取られた識別情報に基づいて通行可否を判定する判定手段と、
前記第一エリア入側読取装置で読み取られた識別情報により前記判定手段の判定が通行可となった場合に入室という通行履歴を記憶するとともに、前記第一エリア出側読取装置で読み取られた識別情報により前記判定手段の判定が通行可となった場合に退室という通行履歴を記憶する第一の記憶部と、前記第二エリア入側読取装置で読み取られた識別情報により前記判定手段の判定が通行可となった場合に入室という通行履歴を記憶するとともに、前記第二エリア出側読取装置で読み取られた識別情報により前記判定手段の判定が通行可となった場合に退室という通行履歴を記憶する第二の記憶部とを備えた記憶手段と、
前記記憶手段の第二の記憶部に記憶された通行履歴が入室の場合に、前記第二エリア入側読取装置による第二の通用口の入室を不許可するとともに前記第一エリア入側読取装置による第一の通用口の入室、前記第一エリア出側読取装置の退室および前記第二エリア出側読取装置の退室を許可し、前記記憶手段の第二の記憶部に記憶された通行履歴が退室の場合に、前記第一エリア入側読取装置の入室、前記第二エリア入側読取装置の入室および前記第一エリア出側読取装置の退室を許可する制御手段と、
前記判定手段の判定が通行可でかつ前記制御手段の判定が許可の場合に、前記第一の通用口あるいは前記第二の通用口の電気錠を解錠するとともに、それ以外の場合に前記第一の通用口あるいは前記第二の通用口の電気錠の施錠状態を継続する入退室管理システムにおいて、
前記通行履歴の記憶手段の第二の記憶部を書き換える書換手段を更に備え、
該書換手段は、前記記憶手段の第二の記憶部に記憶された通行履歴が入室の場合に、前記利用者の前記情報記録媒体の操作により、前記第一エリア出側読取装置の退室が行われた場合に、前記記憶手段の第二の記憶部に記憶された入室という通行履歴を退室に書き換えることを特徴とする入退室管理装置。
【請求項２】
前記入退室管理システムは、前記書換手段による書き換えが行われた場合に、その内容を前記利用者に通知する通知する通知手段を更に備えたことを特徴とする請求項１に記載の入退室管理装置。
【発明の詳細な説明】
【技術分野】
【０００１】
この発明は、建物内の部屋への入室者及び部屋からの退室者を管理する装置に関するものである。
【背景技術】
【０００２】
従来、この種の入退室管理装置として、人が部屋内にいるにも拘らず、同じ人がその部屋に入る事（例えばＩＤカードをひろった人または手渡した人の入室阻止）を禁止するアンチパスバックチェック機能を備えるものがある。
【０００３】
しかるに、このようなアンチパスバックチェック機能を備えた入退室管理装置により在室管理を行なう際、利用者が退出時ＩＤ判別を行なわないで出てしまうと、その利用者は永遠にその部屋にいることになり、再び入室することはできない。すなわち、利用者が部屋にＩＤカードを認証して正常に入り、出る時は他の人と連れだってＩＤカードを認証しないで出てしまった後、その利用者はその部屋に居続けていると判断されるため、再入室しようとしてもアンチパスバックにひっかかり入室できない。
【０００４】
例えば、これを解決するのに特許文献１では、利用者がある部屋に所定時間以上在室している場合はアンチパスバックチェックのための部屋内フラグをリセットすることによりアンチパスバックにひっかからない入退室管理装置がある。
【特許文献１】特開平２−２９４８９６号公報
【発明の開示】
【発明が解決しようとする課題】
【０００５】
上記のような従来の入退室管理装置によれば、ある部屋に所定時間以上在室できる人にとってはアンチパスバックチェックのための部屋内フラグをリセットできるため便利な機能である。しかしながら、所定時間以上在室できない利用者にとってはアンチパスバックチェックのための部屋内フラグをリセットすることできないという問題がある。
【０００６】
また、利用者がある部屋に所定時間以上在室しているだけで、アンチパスバックチェックのための部屋内フラグがリセットされるので、セキュリティーレベルが低下するという問題がある。
【０００７】
この発明は上記のような問題を解決するためになされたものであり、その目的は、利用者が部屋から出る時、他の人と連れだってＩＤカードを認証しないで出てしまった後、建物内のある部屋に所定時間以上在室していなくても、セキュリティーレベルを下げることなく、建物の通用口から外へ退出した後、再入室しようとしたとき、アンチパスバックにひっかからない入退室管理装置を得ることである。
【課題を解決するための手段】
【０００８】
この発明にかかる入退室管理装置は、利用者が所持する情報記録媒体と、
建物の外周部に設置された第一の通用口の入側及び出側を含む領域である第一のエリアと、
前記第一のエリアに隣接し、前記第一の通用口の入側と境を接する前記建物の内周部に設置された第二の通用口の入側及び出側を含む領域である第二のエリアと、
前記第一の通用口の入側に設置され、前記利用者の操作により識別情報を読み取る第一エリア入側読取装置と、
前記第一の通用口の出側に設置され、前記利用者の操作により識別情報を読み取る第一エリア出側読取装置と、
前記第二の通用口の入側に設置され、前記利用者の操作により識別情報を読み取る第二エリア入側読取装置と、
前記第二の通用口の出側に設置され、前記利用者の操作により識別情報を読み取る第二エリア出側読取装置と、
前記それぞれの読取装置で読み取られた識別情報に基づいて通行可否を判定する判定手段と、
前記第一エリア入側読取装置で読み取られた識別情報により前記判定手段の判定が通行可となった場合に入室という通行履歴を記憶するとともに、前記第一エリア出側読取装置で読み取られた識別情報により前記判定手段の判定が通行可となった場合に退室という通行履歴を記憶する第一の記憶部と、前記第二エリア入側読取装置で読み取られた識別情報により前記判定手段の判定が通行可となった場合に入室という通行履歴を記憶するとともに、前記第二エリア出側読取装置で読み取られた識別情報により前記判定手段の判定が通行可となった場合に退室という通行履歴を記憶する第二の記憶部とを備えた記憶手段と、
前記記憶手段の第二の記憶部に記憶された通行履歴が入室の場合に、前記第二エリア入側読取装置による第二の通用口の入室を不許可するとともに前記第一エリア入側読取装置による第一の通用口の入室、前記第一エリア出側読取装置の退室および前記第二エリア出側読取装置の退室を許可し、前記記憶手段の第二の記憶部に記憶された通行履歴が退室の場合に、前記第一エリア入側読取装置の入室、前記第二エリア入側読取装置の入室および前記第一エリア出側読取装置の退室を許可する制御手段と、
前記判定手段の判定が通行可でかつ前記制御手段の判定が許可の場合に、前記第一の通用口あるいは前記第二の通用口の電気錠を解錠するとともに、それ以外の場合に前記第一の通用口あるいは前記第二の通用口の電気錠の施錠状態を継続する入退室管理システムにおいて、
前記通行履歴の記憶手段の第二の記憶部を書き換える書換手段を更に備え、
該書換手段は、前記記憶手段の第二の記憶部に記憶された通行履歴が入室の場合に、前記利用者の前記情報記録媒体の操作により、前記第一エリア出側読取装置の退室が行われた場合に、前記記憶手段の第二の記憶部に記憶された入室という通行履歴を退室に書き換えることを特徴とする。
【発明の効果】
【０００９】
この発明にかかる入退室管理装置は、第二の通用口に設けられた個人認証装置でＩＤ認証を行なわないで退出しても、第一エリア個人認証装置で認証をおこなって部屋または建物から外へ退出した後、第一エリア個人認証装置が認証した利用者の通行を判定する判定手段が許可した判定に基づいて、第二のエリアで入室として記憶されている利用者の通行履歴を退室に書き換えるようにしたので、第二の通用口に設けられた個人認証装置で認証をおこなって再入室するとき、セキュリティーレベルが低下することなくアンチパスバックにひっかからないという効果を奏する。
【発明を実施するための最良の形態】
【００１０】
実施の形態１
図１から図５は、この発明の実施の形態１に係るもので、図１は建物内にカードリーダを適用した例の構成を示す図、図２は入退室管理装置の全体構成を示す図、図３は各コントローラの記憶手段に記憶される通行履歴の概要を示す図、図４は建物内の通用口と通用口に設置されたカードリーダの操作手順の概念を示す図、図５は図３のカードリーダの操作手順に対応して記憶手段に記憶される通行履歴の概要を示す図、図６は入退室管理装置の動作の流れを示すフロー図である。
【００１１】
図１において、建物１には利用者が通行する第一のエリア５と、第二のエリア６とが設けられる。第一のエリア５には、入退室管理をおこない利用者が出入りする第一の通用口として通用口Ｄ１と、共用エリア４とが設けられる。第二のエリア６には、事務所エリア２と、事務所エリア３とが壁等により区切られて隣接して設けられている。そして第二のエリア６には、アンチパスバックチェック機能を有効にして入退室管理をおこない、第一のエリアに属さない利用者が出入りする第二の通用口として通用口Ｄ２と、通用口Ｄ３とが設けられる。
【００１２】
なお、第一のエリア５ではアンチパスバックチェック機能を有効または無効のいずれかに設定して入退室管理をおこなう。図において、第一のエリア５にある通用口Ｄ１はアンチパスバックチェック機能を無効にしている。
【００１３】
通用口Ｄ１の近傍には、入退室時に利用者の個人認証をおこなう第一エリア個人認証装置として、カードリーダＣＲ１ａとカードリーダＣＲ１ｂとが設けられる。カードリーダＣＲ１ａは、建物１の中へ入るときに操作する入側に設けられ、カードリーダＣＲ１ｂは、建物１の外へ退出するときに操作する出側に設けられる。通用口Ｄ２、Ｄ３の入側と出側近傍には、事務所エリア２、事務所エリア３へ入退室するときに操作する個人認証装置として、カードリーダＣＲ２ａ、ＣＲ２ｂ、ＣＲ３ａ、ＣＲ３ｂが設けられる。
【００１４】
以下、通用口Ｄ２、Ｄ３を総称して通用口ＤＮと表記し、第一エリア個人認証装置であるカードリーダＣＲ１ａ、ＣＲ１ｂを総称してカードリーダＣＲ１と表記し、第二のエリアに設けられる個人認証装置である複数のカードリーダＣＲ２ａ、ＣＲ２ｂ、ＣＲ３ａ、ＣＲ３ｂを総称してカードリーダＣＲＮと表記する。
【００１５】
カードリーダＣＲ１、ＣＲＮは、利用者が通用口Ｄ１、ＤＮを通行するとき、利用者が携帯するＩＤカードと通信をおこない、これらのＩＤカードに記録された利用者のＩＤデータなどを読取る機能を備えた個人認証装置である。
【００１６】
利用者が携帯するＩＤカードは、利用者自身を特定するＩＤデータや通用口毎の通行可否データなどの情報が記録された記録媒体である。例えば、磁気カード、ＩＣカード、非接触カードなどである。
【００１７】
図２において、カードリーダＣＲ１、ＣＲＮの上位にはコントローラＬ１、Ｌ２、Ｌ３が接続されている。コントローラＬ１、Ｌ２、Ｌ３の各コントローラは、相互に通信がおこなえるように接続され、通信状態が確保されている。
【００１８】
そして、第一のエリア５と第二のエリア６とを通行する利用者がカードリーダＣＲ１、ＣＲＮを操作して、操作した際の個人認証に基づいて入退出管理をおこない、利用者の入退室時に入室または退室として通行履歴を記憶する。このとき、通用口Ｄ２、Ｄ３では通行履歴に入室として記憶されている前記利用者の入室を禁止するようにしたアンチパスバックチェックがおこなわれる。
【００１９】
また、コントローラＬ１は、判定手段７と制御手段８とを備える。判定手段７は、カードリーダＣＲ１から受取った利用者のＩＤデータに基づいて通行可否を判定する。制御手段８は、カードリーダＣＲ１が認証した利用者の通行を判定手段７が許可した判定に基づいて、第二のエリア６で入室として記憶されている利用者の通行履歴を退室に書き換える。また、書き換えて記憶した利用者の通行履歴を他のコントローラへ送信する機能を備える。
【００２０】
コントローラＬ２、Ｌ３は、コントローラＬ１と同じ機能を備える。またコントローラＬ２、Ｌ３は、コントローラＬ１と同じ構成であるため図示を省略する。なお、制御手段８は、コントローラＬ２、Ｌ３には備えなくても良い。
【００２１】
以下、複数のコントローラＬ２、Ｌ３を総称してＬＮと表記する。コントローラＬ１、ＬＮの下位には、通用口Ｄ１、ＤＮに設けられる電気錠を制御する図示しない制御盤が接続されている。
【００２２】
ここで通行履歴とは、カードリーダＣＲ１またはＣＲＮがＩＤデータを認証し、判定手段７が通行可否を判定した結果に基づいて、利用者が各部屋において入室または退室のいずれかの状態にあるかを認識した結果を記憶したものである。
【００２３】
例えば、カードリーダＣＲ１ａがＩＤデータを認証し、判定手段７が通行を許可した場合、利用者が通用口Ｄ１から共用エリア４へ「入室」したと認識する。また、カードリーダＣＲ１ｂがＩＤデータを認証し、判定手段７が通行を許可した場合、利用者が通用口Ｄ１から外へ「退室」したと認識する。
【００２４】
また、各コントローラＬ１、ＬＮは、通行履歴を書き換えて記憶したとき、書き換えた通行履歴を他の全てのコントローラに送信するようにして、各コントローラＬ１、ＬＮは同じ内容の通行履歴を共有する機能を備える。
【００２５】
ここで、コントローラＬ１、ＬＮが同じ内容の通行履歴を共有する機能について図１、図３を用いて説明する。図３は、各コントローラＬ１、ＬＮにおいて、ある１人の利用者の通行履歴の状態を示している。
【００２６】
例えば、Ｌ１の行に表示されている内容は、コントローラＬ１に記憶されている通行履歴を示し、Ｌ２の行に表示されている内容はコントローラＬ２に記憶されている通行履歴を示す。コントローラＬ３についても同様である。なお、図３の左側半分が＜通行履歴更新前＞の状態を表し、右側半分が＜通行履歴更新後＞の状態を示す。
【００２７】
各コントローラＬ１、ＬＮには、図３に示すように同じ内容の通行履歴が記憶されている。
【００２８】
例えば、利用者が事務所エリア２へ入室する際、コントローラＬ２が、下位に接続されたカードリーダＣＲ２ａが認証したＩＤデータに基づき通行を許可すると、記憶されていた通行履歴は、事務所エリア２が「退室」から「入室」へと書き換えられて記憶される。＜図３「通行履歴更新前」Ｌ２を参照＞
【００２９】
次に、コントローラＬ２は、記憶した通行履歴を他の全てのコントローラＬ１、Ｌ３に対して送信する。コントローラＬ１、Ｌ３は、記憶されていた通行履歴をコントローラＬ２から受信した通行履歴の内容に書き換えて記憶する。＜図３「通行履歴更新後」Ｌ１、Ｌ３を参照＞
【００３０】
上記のように、コントローラＬ１、ＬＮは、通行履歴を書き換えて記憶したとき、書き換えて記憶した通行履歴を他の各コントローラＬ１、ＬＮに送信する。各コントローラＬ１、ＬＮは、記憶されていた通行履歴を受信した通行履歴に書き換えて記憶することで全てのコントローラＬ１、ＬＮは、全て同じ通行履歴を共有する。
【００３１】
次に、この実施の形態における入退室管理システムを構成する各装置及び各手段の動作について、図４と図５を用いて説明する。ここでは、利用者が第二のエリア６にある事務所エリア２にＩＤカードを認証して正常に入り、第二のエリア６にある事務所エリア２から出る時、他の人と連れだってＩＤカードを認証しないで出てしまった場合を例にして説明する。
【００３２】
図４の手順１〜手順２は、２人の利用者Ｘ及び利用者Ｙが建物１の外から通用口Ｄ１を通り、共用エリア４を経由して事務所エリア２へ入室する手順である。また、手順３〜手順５は２人の利用者Ｘ及び利用者Ｙが事務所エリア２から退室し、共用エリア４を経由して通用口Ｄ１を通って、建物１の外へ出る手順である。
【００３３】
図５は、図４の手順１から手順４に伴う２人の利用者Ｘと利用者Ｙの各エリアにおける通行履歴をコントローラＬ１が記憶する状態を示す。また、図の左側半分に通用口Ｄ１から退出する前（ＩＤカードをカードリーダＣＲ１ｂで認証する前）の状態を示し、右側半分に通用口Ｄ１から退出した後（ＩＤカードをカードリーダＣＲ１ｂで認証した後）の状態を示す。なお、図４の手順１〜手順５における機器構成は図２と同じであるため機器の符号は省略し、図２に示す符号で説明する。
【００３４】
手順１では、利用者Ｘと利用者Ｙが通用口Ｄ１のカードリーダＣＲ１ａで、それぞれ各自がＩＤカードを認証して建物１の共用エリア４へ正常に入った場合を示す。＜図４、図５の手順１参照＞
【００３５】
手順２では、利用者Ｘと利用者Ｙが通用口２のカードリーダＣＲ２ａで、それぞれ各自がＩＤカードを認証して事務所エリア２へ正常に入った場合を示す。＜図４、図５の手順２参照＞
【００３６】
手順３では、利用者Ｘは、通用口Ｄ２のカードリーダＣＲ２ｂでＩＤカードを認証することにより電気錠が解錠され、事務所エリア２から共用エリア４へ通行している。このとき、コントローラＬ２は、利用者Ｘの通行履歴を、事務所エリア２が「入室」から「退室」へ、共用エリア４が「退室」から「入室」へと書き換えて記憶する。
【００３７】
次に、コントローラＬ２は、利用者Ｘの通行履歴を書き換えたので、通行履歴を他の全てのコントローラＬ１、Ｌ３へ送信する。各コントローラＬ１、ＬＮは、通行履歴をコントローラＬ２から受信した通行履歴に書き換えて記憶する。＜図４、図５の手順３参照＞
【００３８】
一方、利用者Ｙは、利用者Ｘが通用口Ｄ２を通行するとき、ＩＤカードを認証することなく一緒に通行している。利用者Ｙは、カードリーダＣＲ２ｂでＩＤカードを認証することなく事務所エリア２から退室しているので、通行履歴には何も記録されない。すなわち、利用者Ｙは、実際には利用者Ｘと共に事務所エリア２から退室し、共用エリア４に入室しているにもかかわらず、通行履歴が残らないから、コントローラＬ２の通行履歴は「退室」のままとなり、書き換えられない。
【００３９】
手順４では、利用者Ｘと利用者Ｙは、それぞれ各自がカードリーダＣＲ１ｂでＩＤカードを認証することにより、コントローラＬ１の判定手段７が通行を許可すると、電気錠が解錠され、通用口Ｄ１を通行して建物１の外へ退出する。
【００４０】
このとき、利用者Ｘの場合、コントローラＬ１の通行履歴で共用エリア４を「入室」から「退室」へと書き換えて記憶する。
【００４１】
次に、コントローラＬ１は利用者Ｘの通行履歴を書き換えたので、利用者Ｘの通行履歴を他の全てのコントローラ、すなわちコントローラＬＮの全てに送信する。各コントローラＬＮは、通行履歴をコントローラＬ１から受信した通行履歴に書き換えて記憶する。
【００４２】
次に、コントローラＬ１の判定手段７が利用者Ｘの通行を許可すると、制御手段８は、「入室」として記憶されている第二のエリア６の利用者Ｘの通行履歴を確認する。ここで、利用者Ｘの第二のエリア６の通行履歴は全てが「退室」であり、「入室」は無いので、制御手段８は何もしない。
【００４３】
一方、利用者Ｙの場合、コントローラＬ１は、利用者Ｙの通行履歴で共用エリア４を「退室」として記憶する。しかし、手順３で共用エリア４は「退室」のまま記憶されているので、この状態は継続され、通行履歴は書き換えられない。
【００４４】
続いて、コントローラＬ１の判定手段７が利用者Ｙの通行を許可すると、制御手段８は、「入室」として記憶されている第二のエリア６の利用者Ｙの通行履歴を確認する。ここで、利用者Ｙの第二のエリア６の通行履歴で事務所エリア２が「入室」となっているので、制御手段８は「入室」を「退室」に書き換えて記憶する。＜図４、図５の手順４参照＞
【００４５】
次に、コントローラＬ１は、利用者Ｙの通行履歴を書き換えたので、利用者Ｙの通行履歴をコントローラＬＮの全てに送信する。各コントローラＬＮは、通行履歴をコントローラＬ１から受信した通行履歴に書き換えて記憶する。
【００４６】
上記のように、コントローラＬ１の制御手段８は、第一エリア個人認証装置カードリーダＣＲ１ｂが認証した利用者の通行を判定手段７が許可した判定に基づいて、第二のエリア６の入室として記憶されている利用者Ｙの通行履歴を退室に書き換える。ここでは、第二のエリア６にある事務所エリア２の入室として記憶されている利用者Ｙの通行履歴を退室に書き換える。＜図４、図５の手順４参照＞
【００４７】
手順５では、手順４で利用者Ｘと利用者Ｙとは通用口Ｄ１のカードリーダＣＲ１ｂで、それぞれ各自がＩＤカードの認証をおこなって、通行が許可されると建物１の外へ出る。＜図４の手順５参照＞
【００４８】
次に、例えば手順５の後、利用者Ｙは、通用口Ｄ１を通って事務所エリア２に入室する場合、通用口Ｄ１でＩＤカードを認証して建物１内に入り、共用エリア４を経由して通用口Ｄ２から事務所エリア２に入るためＩＤカードをカードリーダＣＲ２ａで認証したとき、事務所エリア２の入室として記憶されている通行履歴が退室に書き換えられているのでアンチパスバックにひっかかることなく事務所エリア２に再入室できる。
【００４９】
なお、手順４において、利用者Ｙが通用口Ｄ１でＩＤカードを認証することなく引き返して、事務所エリア２に再入室するとき、利用者Ｙの通行履歴は事務所エリア２に「入室」と記憶されているため、退室していない部屋への再入室を認めない運用をおこなうアンチパスバックにひっかかり再入室できない。すなわち、利用者ＹがカードリーダＣＲ１ｂでＩＤカードを認証する前は、アンチパスバックチェックは有効に機能している。
【００５０】
次に、実施の形態１に係る入退室管理装置を利用するときは、図６に示す一連のフローに従って動作する。以下の動作フローにおいて、利用者は図４における利用者Ｘまたは利用者Ｙとして説明する。また、以下の図６の動作フローの説明では、図４の手順４から以降の動作を用いて説明する。なお、図４の手順１から手順３までは従来技術の内容と同じであるため説明を省略する。
【００５１】
ステップＳ１で、利用者Ｘ及び利用者Ｙは建物１から出るとき、通用口Ｄ１のカードリーダＣＲ１ｂで各自がＩＤカードを認証する。すなわち、図４の手順４に示すように各自がＩＤカードの認証をおこない、通行が許可されるとステップＳ２へ進む。ここでＩＤカードの認証をおこなうことなく建物１から出ることは許可しないようにするため、通用口Ｄ１のカードリーダＣＲ１ｂでＩＤカードを認証しないときは再度、ステップＳ１に戻り、ステップＳ２に進むことはできない。
【００５２】
ステップＳ２で、コントローラＬ１は、ステップＳ１でカードリーダＣＲ１ｂが認証し、判定手段７が通行を許可した利用者Ｘの通行履歴で共用エリア４を「入室」から「退室」に書き換えて、記憶した通行履歴を全てのコントローラＬＮに送信する。利用者Ｙは、判定手段７が通行を許可した利用者Ｙの通行履歴で共用エリア４を「退室」にするが、通行履歴は「退室」となっているので、そのまま変化は無い。
【００５３】
ステップＳ３で、コントローラＬ１の制御手段８は、記憶されている通行履歴において、ステップＳ１で建物１から出た利用者Ｘ及び利用者Ｙの第二のエリア６の通行履歴で「入室」の有無を確認する。利用者Ｘは、第二のエリア６で「入室」の通行履歴が無いのでフローは終了する。利用者Ｙは、第二のエリア６の事務所エリア２に「入室」の通行履歴があるのでステップＳ４に進む。すなわち、図５の＜カードリーダＣＲ１ｂで認証する前＞の手順４に示すように、事務所エリア２に「入室」があるのでステップＳ４に進む。
【００５４】
ステップＳ４で、コントローラＬ１の制御手段８は、ステップＳ１で建物１から出た利用者Ｙの第二のエリア６の「入室」として記憶されている通行履歴を「退室」へと書き換える。すなわち、図５の＜カードリーダＣＲ１ｂで認証する前＞の手順４に示す事務所エリア２「入室」を、＜カードリーダＣＲ１ｂで認証した後＞の事務所エリア２「退室」のように書き換える。
【００５５】
次に、コントローラＬ１は、制御手段８が書き換えた通行履歴を全てのコントローラＬＮに送信する。各コントローラＬＮは、通行履歴をコントローラＬ１から受信した通行履歴に書き換えて記憶する。上記により利用者Ｙの第二のエリア６で「入室」とされた部屋の全てが「退室」に書き換えられる。
【００５６】
以上のように、第一のエリア５と第二のエリア６とを通行する利用者の入退出管理をおこない、利用者の個人認証に基づく入退室時に入室または退室として通行履歴を記憶し、通行履歴に入室として記憶されている利用者の入室を禁止するようにしたアンチパスバックチェック機能を有する入退出管理システムにおいて、第一のエリア５には、入退室管理をおこない、利用者が出入りする第一の通用口Ｄ１を有し、第二のエリア６には、アンチパスバックチェック機能を有効にして入退室管理をおこない、第一のエリア５に属さない利用者が出入りする第二の通用口ＤＮを有し、第一の通用口Ｄ１の入退室時に利用者の個人認証をおこなう第一エリア個人認証装置ＣＲ１と、第一エリア個人認証装置ＣＲ１の個人認証に基づき利用者の通行を判定する判定手段７と、第一エリア個人認証装置ＣＲ１が認証した利用者の通行を判定手段７が許可した判定に基づいて、第二のエリア６で入室として記憶されている利用者の通行履歴を退室に書き換える制御手段８と、を設けた。
【００５７】
上記のように構成したので、利用者Ｙが第二のエリア６にある部屋にＩＤカードを認証して正常に入り、第二のエリア６にある部屋から出る時は他の人と連れだってＩＤカードを認証しないで出てしまった後、第二のエリア６にある部屋に所定時間以上在室していなくても、第一のエリア５にある通用口Ｄ１でＩＤカードを認証してから外へ退出することで、第二のエリア６で入室して記憶されている利用者Ｙの通行履歴を退室に書き換えるようにしたので、第二のエリア６にある部屋に再入室しようとしたとき、アンチパスバックにひっかからない入退室管理装置を得ることができる。
【００５８】
また、上記のように構成したので、利用者Ｙが第二のエリア６にある部屋にＩＤカードを認証して正常に入り、第二のエリア６にある部屋から出る時は他の人と連れだってＩＤカードを認証しないで出てしまった後、第一のエリア５にある通用口Ｄ１でＩＤカードを認証して外へ退出するまでは、アンチパスバックは有効に機能するので、セキュリティーレベルが下がることはない。
【００５９】
実施の形態２  
実施の形態２に係る入退室管理装置を示す構成図は図７に示す。図７は、実施の形態１の図２のコントローラＬ１、ＬＮの上位にセンター装置９と通知手段１０を加えた構成である。図８は、実施の形態２に係る入退室管理装置の動作フローを説明する図である。図８は、実施の形態１の図６のステップＳ４の次にステップＳ５を加えた構成である。
【００６０】
実施の形態１では、利用者が第二のエリア６にある部屋にＩＤカードを認証して正常に入り、第二のエリア６にある部屋から出る時は他の人と連れだってＩＤカードを認証しないで出てしまった後、第一のエリア５にある通用口Ｄ１でＩＤカードを認証してから外へ退出することで、第二のエリア６で入室して記憶されている利用者Ｙの通行履歴を退室に書き換えるようにしたので、第二のエリア６にある部屋に再入室しようとしたとき、アンチパスバックにひっかからないようにした。
【００６１】
これに対して、実施の形態２は、第二のエリア６で入室して記憶されている利用者Ｙの通行履歴を退室に書き換えたことを通知する構成にした。
【００６２】
図７において、センター装置９はコントローラＬ１、ＬＮの上位に接続され、相互に通信がおこなえるように通信状態が確保されている。センター装置９は、通知手段１０を備え、ＰＣ（Personal Computer）のＣＰＵ（Central Processing Unit）、ＨＤＤ（Hard Disc Drive）、メモリ（記憶装置）などで構成される。通知手段１０は、第二のエリア６で入室して記憶されている利用者Ｙの通行履歴を退室に書き換えたことを通知する電子メールを送信する機能を備える。
【００６３】
次に、図７においてこの実施の形態における入退室管理装置を構成する各機器の動作について説明する。なお、図においてセンター装置９と通知手段１０以外の構成は、実施の形態１と同じであるため説明を省略する。また、実施の形態１の図１及び図３から図６の構成は、実施の形態２と同じであるため、係る名称や符号を使用して説明する。また、以下は利用者Ｙの場合を用いて説明する。
【００６４】
利用者Ｙが通用口Ｄ１のカードリーダＣＲ１ｂで認証をおこない、コントローラＬ１の判定手段７が通行を許可した判定に基づいて、制御手段８は、利用者Ｙの第二のエリア６の通行履歴を「入室」から「退室」に書き換えて、記憶する。
【００６５】
次に、制御手段８は、利用者Ｙの第二のエリア６の通行履歴を「入室」から「退室」に書き換えたことを示す情報をセンター装置９へ送信する。
【００６６】
センター装置９は、コントローラＬ１からこの情報を受信すると、利用者Ｙの第二のエリア６の通行履歴を「入室」から「退室」に書き換えたことを示す通知情報を作成し、通知手段１０は、この図示しない通知情報を表示した電子メールを利用者Ｙの会社内ＰＣに対して送信する。
【００６７】
次に、実施の形態１に係る入退室管理装置を利用するときは、図８に示す一連のフローに従って動作する。なお、図のステップＳ１からステップＳ４までは、実施の形態１と同じであるため説明を省略する。
【００６８】
ステップＳ５で、コントローラＬ１から利用者Ｙの第二のエリア６の通行履歴を「入室」から「退室」に書き換えたことを示す情報を受信したセンター装置９は、通知手段１０により、利用者Ｙの第二のエリア６の通行履歴を「入室」から「退室」に書き換えたことを通知する電子メールをステップＳ１で退室した利用者Ｙの会社内ＰＣに送信する。
【００６９】
以上のように、第二のエリア６で入室として記憶されている利用者Ｙの通行履歴を退室に書き換えたことを通知する通知手段１０を備えることにした。
【００７０】
なお、通知手段１０は、利用者Ｙの会社内ＰＣに電子メールを送信したが、システム管理者の会社内ＰＣに送信しても良い。また、会社内ＰＣに電子メールを送信したが、利用者Ｙや管理者の携帯電話に送信しても良い。
【００７１】
上記のように構成したので、利用者Ｙの入室として記憶されている第二のエリア６の通行履歴を退室に書き換えたことを通知する通知手段８を備えたことで、正常な退出操作をしていないことに利用者Ｙや管理者が気付くことができる入退室管理装置を得ることができる。
【００７２】
なお、実施の形態２では、通知手段８を電子メールの送信により通知する構成としたが、他の通知手段を用いても良い。例えば、カードリーダＣＲ１本体あるいはカードリーダＣＲ１の近傍に図示しない表示装置や音声案内装置を構成して、利用者ＹがカードリーダＣＲ１を操作したとき、電子メール通知と同じようなメッセージを表示させたり、音声案内などにより利用者Ｙに通知するようにしても良い。
【００７３】
また、実施の形態１及び２で、通用口Ｄ２、Ｄ３はいずれもアンチパスバックチェック機能を有効にしたが、いずれか一方を無効としても良く、第二のエリア６に少なくとも１つのアンチパスバックチェック機能を有効にした通用口があれば良い。
【００７４】
また、実施の形態１及び２のＩＤカードは、個人を特定するＩＤデータや通用口毎の通行可否データなどの情報が記録された記録媒体であれば良く、磁気カード、ＩＣカード、無線タグ、接触・非接触式などの認証方式に限定されない。
【００７５】
また、実施の形態１及び２のカードリーダＣＲ１、ＣＲＮは、利用者自身を特定するＩＤデータや通用口毎の通行可否データなどの情報が記録された記録媒体を認証する個人認証装置であれば良く、個人認証装置の読取・認証方式に限定されない。
【００７６】
また、実施の形態１及び２のコントローラＬ１、ＬＮ、センター装置７、通知手段８は、相互に通信をおこなえるように接続されていれば良く、接続する手段は有線、無線等の方式に限定されない。
【００７７】
また、実施の形態１及び２の判定手段７は、各コントローラＬ１、ＬＮに備えるようにして複数の構成にしたが、１つの判定手段７が全ての通行可否の判定おこなうように構成しても良い。また、１つの判定手段７は、各コントローラＬ１、ＬＮ以外のセンター装置９などに備えるように構成しても良い。
【００７８】
また、実施の形態１及び２の制御手段８は、コントローラＬ１に備えて構成したが、コントローラＬ１以外のコントローラＬＮのいずれか、またはセンター装置９などに備えて構成しても良い。
【００７９】
また、実施の形態１及び２では、第一エリア個人認証装置であるカードリーダＣＲ１ｂの認証を用いたが、カードリーダＣＲ１ａまたはＣＲ１ｂのいずれの認証を用いる構成にしても良い。
【００８０】
また、実施の形態１及び２で、第一エリア個人認証装置であるカードリーダＣＲ１ｂが認証した利用者Ｙの通行を判定手段７が許可した判定に基づいて、制御手段８は、第二のエリア６で「入室」として記憶されている利用者Ｙの事務所エリア２の通行履歴の１つだけを「退室」に書き換える一例で説明したが、「入室」から「退室」に書き換える利用者Ｙの第二のエリア６の通行履歴は複数でも良い。
【図面の簡単な説明】
【００８１】
【図１】建物内にカードリーダを適用した例の構成を示す図である。
【図２】この発明の実施の形態１である入退室管理装置を示す構成図である。
【図３】各コントローラに記憶される通行履歴を示す図である。
【図４】建物内の通用口と通用口に設置されたカードリーダの操作手順の概念を示す図である。
【図５】図４のカードリーダの操作手順に対応してコントローラＬ１に記憶される通行履歴を示す図である。
【図６】この発明の実施の形態１である入退室管理装置における運用時の動作フローチャートである。
【図７】この発明の実施の形態２である入退室管理装置を示す構成図である。
【図８】この発明の実施の形態２である入退室管理装置における運用時の動作フローチャートである。
【符号の説明】
【００８２】
１  建物、２，３  事務所エリア、４  共用エリア、５  第一のエリア、６  第二のエリア、７  判定手段、８  制御手段、９  センター装置、１０  通知手段、Ｄ１  通用口、Ｄ２〜ＤＮ  通用口、ＣＲ１〜ＣＲＮ  カードリーダ、Ｌ１〜ＬＮ  コントローラ
【図１】
0005604931.tif 000002
【図２】
0005604931.tif 000003
【図３】
0005604931.tif 000004
【図４】
0005604931.tif 000005
【図５】
0005604931.tif 000006
【図６】
0005604931.tif 000007
【図７】
0005604931.tif 000008
【図８】
0005604931.tif 000009